(57)【要約】【課題】ワイヤレス閃光装置の発光能力が本発光時に十分であるか否かおよび本発光時の適正発光量がどの程度であるかを撮影者が予め確認することができる撮影システムを提供すること。【解決手段】撮影用機器２５から独立して存在し、且つ撮影用機器２５と直接接続されていないワイヤレス閃光装置１９Ａ，１９Ｂと、ワイヤレス閃光装置１９Ａ，１９Ｂに対して無線通信により予備発光の起動および本発光の発光量指示データの送信を行う主閃光装置１７とを有する撮影システム１１において、主閃光装置１７はモニター２７を有しており、予備発光後の本発光は行わないで、予備発光により算出したワイヤレス閃光装置１９Ａ，１９Ｂの適正本発光量をモニター２７に表示するモードを備える。【選択図】　　　図１
2004029184.tif 000002
【特許請求の範囲】
【請求項１】
撮影用機器から独立して存在し、且つ前記撮影用機器と直接接続されていない少なくとも１つのワイヤレス閃光装置と、
前記ワイヤレス閃光装置に対して無線通信により予備発光の起動および本発光の発光量指示データの送信を行う指令手段と、
を有する撮影システムであって、
前記指令手段は表示手段を有しており、前記予備発光後の前記本発光は行わないで、前記予備発光により算出した前記ワイヤレス閃光装置の適正本発光量を前記表示手段に表示するモードを有することを特徴とする撮影システム。
【請求項２】
請求項１に記載の撮影システムにおいて、
前記指令手段は、前記撮影用機器または前記撮影用機器と直接接続された主閃光装置またはコマンダーであることを特徴とする撮影システム。
【請求項３】
請求項１または請求項２に記載の撮影システムにおいて、
前記ワイヤレス閃光装置の許容発光量を入力する入力手段を有し、
前記表示手段は、前記ワイヤレス閃光装置の適正な本発光量が前記入力手段により入力された許容発光量より大きい場合に、前記入力手段により入力された許容発光量と前記ワイヤレス閃光装置の適正な本発光量との差分を表示することを特徴とする撮影システム。
【請求項４】
請求項１または請求項２に記載の撮影システムにおいて、
前記ワイヤレス閃光装置の許容発光量を入力する入力手段を有し、
前記表示手段は、前記ワイヤレス閃光装置の適正な本発光量が前記入力手段により入力された許容発光量より大きい場合に、前記ワイヤレス閃光装置の配置の変更のための移動量を表示することを特徴とする撮影システム。
【請求項５】
請求項１ないし請求項４のいずれか１項に記載の撮影システムにおいて、
前記無線通信は、発光パルス列を用いて行われることを特徴とする撮影システム。
【請求項６】
請求項１ないし請求項５のいずれか１項に記載の撮影システムにおいて、
前記表示手段は、前記ワイヤレス閃光装置の適正な本発光量をガイドナンバーを単位として表示することを特徴とする撮影システム。
【請求項７】
請求項１ないし請求項６のいずれか１項に記載の撮影システムにおいて、
前記表示手段に表示された前記ワイヤレス閃光装置の適正な本発光量を認識するための表示は、所定時間経過すると消去され、標準画面に切り替わることを特徴とする撮影システム。
【発明の詳細な説明】
【０００１】
【発明の属する技術分野】
本発明は、ワイヤレス閃光装置を有する撮影システムに関する。
【０００２】
【従来の技術】
従来、ワイヤレス閃光装置を有する撮影システムでは、本発光に先立って主閃光装置およびワイヤレス閃光装置を個々に予備発光させて測光センサを用いて測光し、本発光時の適正発光量を算出していた。そして、その算出された発光量の情報をワイヤレス閃光装置へ送信していた。
【０００３】
以下、従来の撮影システムの具体的な例を図７および図８を用いて説明する。図７の撮影システムは、三脚２上に固定されたカメラ１と主閃光装置３と２台のワイヤレス閃光装置５Ａ，５Ｂとを有している。主閃光装置３は被写体７の前方に配置され、ワイヤレス閃光装置５Ａは主に被写体７の左側を照射するように配置され、ワイヤレス閃光装置５Ｂは、背景の影を消す目的で被写体７の後方を照射するように配置されている。
【０００４】
図８は、この撮影システムの発光タイミングを示している。
図８（ａ）は、カメラ１と主閃光装置３とを接続するＸ接点における本発光開始タイミングを示している。図８（ｂ）は、主閃光装置３における発光パルス列を示している。図８（ｃ）および図８（ｄ）は、それぞれワイヤレス閃光装置５Ａ，５Ｂの発光パルスを示している。
【０００５】
この撮影システムは、先ずカメラ１からの指示により主閃光装置３が予備発光を行う。次いで、この予備発光による照度がカメラ１により測光され記憶される。次いで、カメラ１からの指示により主閃光装置３はワイヤレス閃光装置５Ａに対し発光パルス列を送信し、予備発光を行わせる。次いで、この予備発光による照度がカメラ１により測光され記憶される。次いで、カメラ１からの指示により主閃光装置３はワイヤレス閃光装置５Ｂに対し発光パルス列を送信し、予備発光を行わせる。次いで、この予備発光による照度がカメラ１により測光され記憶される。次いで、カメラ１において、本発光時に要求される主閃光装置３およびワイヤレス閃光装置５Ａ，５Ｂの適正発光量が算出される。次いで、カメラ１からの指示により主閃光装置３からワイヤレス閃光装置５Ａ，５Ｂへ本発光時の適正発光量を指示するための発光パルス列が送信される。最後に、カメラ１からの指示により主閃光装置３からワイヤレス閃光装置５Ａ，５Ｂへ本発光を行わせるための発光パルス列が送信され、主閃光装置３およびワイヤレス閃光装置５Ａ，５Ｂによる同時発光が行われる。
【０００６】
【発明が解決しようとする課題】
しかしながら、上述した撮影システムでは、ワイヤレス閃光装置５Ａ，５Ｂに指示する本発光時の発光量がワイヤレス閃光装置５Ａ，５Ｂの発光能力を超えてしまう場合があるという問題があった。そのため、撮影者は、本発光後にワイヤレス閃光装置５Ａ，５Ｂにフル発光警告が表示されているか否かを確認しなければならなかった。そして、フル発光警告が表示されている場合には、ワイヤレス閃光装置５Ａ，５Ｂに要求される発光量が発光能力を超えてしまっているので、ワイヤレス閃光装置５Ａ，５Ｂの配置を変更したり、より発光能力の大きいワイヤレス閃光装置に変更しなければならなかった。
【０００７】
本発明は、かかる従来の問題を解決するためになされたもので、ワイヤレス閃光装置の発光能力が本発光時に十分であるか否かおよび本発光時の適正発光量がどの程度であるかを撮影者が予め確認することができる撮影システムを提供することを目的とする。
【０００８】
【課題を解決するための手段】
請求項１に記載の撮影システムは、撮影用機器から独立して存在し、且つ前記撮影用機器と直接接続されていない少なくとも１つのワイヤレス閃光装置と、前記ワイヤレス閃光装置に対して無線通信により予備発光の起動および本発光の発光量指示データの送信を行う指令手段とを有する撮影システムであって、前記指令手段は表示手段を有しており、前記予備発光後の前記本発光は行わないで、前記予備発光により算出した前記ワイヤレス閃光装置の適正本発光量を前記表示手段に表示するモードを有することを特徴とする。
【０００９】
請求項２に記載の撮影システムは、請求項１に記載の撮影システムにおいて、前記指令手段は、前記撮影用機器または前記撮影用機器と直接接続された主閃光装置またはコマンダーであることを特徴とする。
請求項３に記載の撮影システムは、請求項１または請求項２に記載の撮影システムにおいて、前記ワイヤレス閃光装置の許容発光量を入力する入力手段を有し、前記表示手段は、前記ワイヤレス閃光装置の適正な本発光量が前記入力手段により入力された許容発光量より大きい場合に、前記ワイヤレス閃光装置の適正な本発光量と前記入力手段により入力された許容発光量との差分を表示することを特徴とする。
【００１０】
請求項４に記載の撮影システムは、請求項１または請求項２に記載の撮影システムにおいて、前記ワイヤレス閃光装置の許容発光量を入力する入力手段を有し、前記表示手段は、前記ワイヤレス閃光装置の適正な本発光量が前記入力手段により入力された許容発光量より大きい場合に、前記ワイヤレス閃光装置の配置の変更のための移動量を表示することを特徴とする。
【００１１】
請求項５に記載の撮影システムは、請求項１ないし請求項４のいずれか１項に記載の撮影システムにおいて、前記無線通信は、発光パルス列を用いて行われることを特徴とする。
請求項６に記載の撮影システムは、請求項１ないし請求項５のいずれか１項に記載の撮影システムにおいて、前記表示手段は、前記ワイヤレス閃光装置の適正な本発光量をガイドナンバーを単位として表示することを特徴とする。
【００１２】
請求項７に記載の撮影システムは、請求項１ないし請求項６のいずれか１項に記載の撮影システムにおいて、前記表示手段に表示された前記ワイヤレス閃光装置の適正な本発光量を認識するための表示は、所定時間経過すると消去され、標準画面に切り替わることを特徴とする。
【００１３】
【発明の実施の形態】
以下、本発明を図面を用いて詳細に説明する。
【００１４】
図１は、本発明の撮影システムの一実施形態を示している。
この撮影システム１１は、三脚１３上に固定されたカメラ１５と主閃光装置１７と２台のワイヤレス閃光装置１９Ａ，１９Ｂとを有している。主閃光装置１７は被写体２１の前方に配置され、ワイヤレス閃光装置１９Ａは主に被写体２１の左側を照射するように配置され、ワイヤレス閃光装置１９Ｂは背景の影を消す目的で被写体２１の後方を照射するように配置されている。ワイヤレス閃光装置１９Ａ，１９Ｂは、それぞれスタンド２３上に載置され、撮影用機器２５とは直接接続されておらず、独立して存在している。
【００１５】
カメラ１５は、予備発光をした後、適正発光量を算出し本発光を行う本発光モードと、予備発光後の本発光は行わないで予備発光により算出したワイヤレス閃光装置１９Ａ，１９Ｂおよび主閃光装置１７の各々の適正本発光量を主閃光装置１７に備えられた表示手段であるモニター２７に表示するテスト発光モードと、を切り替える切替スイッチ２９を有している。また、カメラ１５の上面には、レリーズ釦３０が設けられている。
【００１６】
また、モニター２７の下方には、モニター２７に表示された画面の操作を行うための入力手段である複数の釦３１が設けられている。そして、テスト発光モードと本発光モードとの選択は、撮影者３３がモニター２７を見ながら、釦３１を用いて操作する。なお、本発光モード時の主閃光装置１７とワイヤレス閃光装置１９Ａ，１９Ｂとの発光タイミングは、図７に示した従来のものと同様になる。
【００１７】
次に、図２を用いて、テスト発光モード時の主閃光装置１７とワイヤレス閃光装置１９Ａ，１９Ｂとの発光タイミングについて説明する。図２（ａ）は、主閃光装置１７における発光パルス列を示している。また、図２（ｂ）と図２（ｃ）とは、それぞれワイヤレス閃光装置１９Ａとワイヤレス閃光装置１９Ｂとの予備発光のタイミングを示している。
【００１８】
この撮影システム１１は、先ずカメラ１５のレリーズ釦３０が押され、カメラ１５からの指示により主閃光装置１７が予備発光を行う。次いで、この予備発光による照度がカメラ１５により測光され記憶される。次いで、主閃光装置１７は複数回連続発光することで発光パルス列をワイヤレス閃光装置１９Ａに送信し、予備発光を行わせる。次いで、この予備発光による照度がカメラ１５により測光され記憶される。次いで、主閃光装置１７は複数回連続発光することで発光パルス列をワイヤレス閃光装置１９Ｂに送信し、予備発光を行わせる。次いで、この予備発光による照度がカメラ１５により測光され記憶される。次いで、カメラ１５に内蔵されたＣＰＵにより、本発光時に要求される主閃光装置１７およびワイヤレス閃光装置１９Ａ，１９Ｂの適正発光量が算出される。
【００１９】
図３は、テスト発光モード時の標準画面を示している。画面中「ＴＴＬ」とはＴＴＬ自動調光のことである。ＴＴＬ自動調光とは、撮影レンズを通してフィルムに達する光が適切な量になるよう、発光量を自動制御する技術である。「ＴＴＬ」と表示された右隣りの「＋１ＥＶ」という表示は、標準の露光レベルに対するＥＶ単位の補正量である。この補正量は、撮影者３３が任意に設定することができる。また、「ＭＡＮ」とは、ワイヤレス閃光装置１９Ｂにマニュアル発光を行わせることを示している。その右隣の「ＧＮ１６」とは、ワイヤレス閃光装置１９Ｂに最大でガイドナンバー１６までの発光が可能であることを意味し、撮影者３３が釦３１により適宜設定する。そして、画面右下の「スタート」を釦３１により選択し実行させると、撮影が開始される。なお、ガイドナンバーとは、閃光装置の許容発光量の強さを表す数字のことである。
【００２０】
図４は、予備発光後にモニター２７に表示される画面を示している。図に示すように、主閃光装置１７のガイドナンバーは「２０」を示し、ワイヤレス閃光装置１９Ａのガイドナンバーは「８」を示し、ワイヤレス閃光装置１９Ｂのガイドナンバーは「１６」を示している。ここで、ワイヤレス閃光装置１９Ｂは予め許容発光量を「ＧＮ１６」と入力しておいたが、本発光時に要求される適正な発光量は２ＥＶ不足するので、モニター２７にはその不足量である許容発光量（ＧＮ１６）と適正な発光量との差分を「−２ＥＶ」というように表示している。一方、主閃光装置１７とワイヤレス閃光装置１９Ａとに対しては、適正な発光量が、許容発光量以下であるので、「ＯＫ」と表示される。そして、画面下側の「終了」をモニター２７の下方に配置された釦３１により選択し実行させると、図３に示した標準画面が表示される。また、「移動量表示」を釦３１により選択し実行させると図５に示すような画面が表示される。
【００２１】
図５は、主閃光装置１７およびワイヤレス閃光装置１９Ａ，１９Ｂの配置の変更のための移動量がモニター２７に表示されたものである。図中、「Ｘ方向」とあるのは、主閃光装置１７およびワイヤレス閃光装置１９Ａ，１９Ｂのそれぞれの閃光方向に相当する。「Ｘ方向」の下方に表示された「−０．４３」とは、被写体２１を適正な照明状態にするためにワイヤレス閃光装置１９Ｂが移動すべき距離である。すなわち、閃光方向に沿って、被写体２１から離隔する方向へ０．４３メートル移動すべきであるということを意味している。また、「ＯＫ」と表示されているのは、主閃光装置１７およびワイヤレス閃光装置１９Ａに関しては図４に示したように許容発光量以下にあるためである。
【００２２】
図中、「Ｙ方向」とあるのは、主閃光装置１７およびワイヤレス閃光装置１９Ａ，１９Ｂの閃光方向に対して直交する方向、すなわち主閃光装置１７およびワイヤレス閃光装置１９Ａ，１９Ｂの左右方向を示している。「Ｙ方向」の下方に表示された「０．４１」とは、被写体２１を適正な照明状態にするためにワイヤレス閃光装置１９Ｂが移動すべき距離である。すなわち右方向に０．４１メートル移動すべきであるということを意味している。また、「ＯＫ」と表示されているのは、主閃光装置１７およびワイヤレス閃光装置１９Ａに関しては図４に示したように許容発光量以下にあるためである。
【００２３】
「Ｚ方向」の下方に表示された「０．１１」とは、被写体２１を適正な照明状態にするためにワイヤレス閃光装置１９Ｂが移動すべき距離である。すなわち、伸縮自在なスタンド２３のステム２３ａを伸ばすことでワイヤレス閃光装置１９Ｂの高さを０．１１メートル高くすべきであるということを意味している。また、「ＯＫ」と表示されているのは、主閃光装置１７およびワイヤレス閃光装置１９Ａに関しては図４に示したように許容発光量以下にあるためである。
【００２４】
そして、画面右下の「次へ」をモニター２７の下方に配置された釦３１により選択し実行させると、図３に示した標準画面が表示される。なお、この移動量を算出するためには、予めデータベースを作成しておく必要がある。このデータベースの作成にあたっては、先ず、標準的な被写体と主閃光装置１７とワイヤレス閃光装置１９Ａ，１９Ｂとを標準的な位置に配置する。次いで、前後左右方向および高さ方向へ主閃光装置１７の配置を少しずつ変更させながら、その都度主閃光装置１７のみを発光させる。次いで、ワイヤレス閃光装置１９Ａ，１９Ｂも同様に発光させる。最後に、このデータを元に主閃光装置１７またはワイヤレス閃光装置１９Ａ，１９Ｂの配置の変化とカメラ１５で測光された光量との関係を示す近似曲線を求め、データベースとして保存しておく。
【００２５】
図６は、撮影システム１１におけるテスト発光モード時の処理の流れを示している。
先ず、ステップＳ１１において、撮影用機器２５等のセッティングを行う。各種機器の電源をオンにし、被写体２１を所定の位置に配置し、カメラ１５と主閃光装置１７とワイヤレス閃光装置１９Ａ，１９Ｂとを被写体２１側へ向けて配置する。
【００２６】
次いで、ステップＳ１２において、カメラ１５の切替スイッチ２９をテスト発光モード側にすると、モニター２７に、図３に示した画面が表示される。ここで、撮影者３３は所定の条件を釦３１により入力する。
次いで、ステップＳ１３において、画面右下の「スタート」を釦３１により選択し、テスト発光を指示する。
【００２７】
次いで、ステップＳ１４において、主閃光装置１７が発光し、カメラ１５が測光を行う。次いで、主閃光装置１７が発光してから所定時間経過すると、カメラ１５は主閃光装置１７にワイヤレス閃光装置１９Ａ固有の識別コードを発信させる。この信号を受信したワイヤレス閃光装置１９Ａは、固有識別コードが発信された後に主閃光装置１７から発信される発光パルス列を受信可能な状態になる。次いで、主閃光装置１７からワイヤレス閃光装置１９Ａに発光パルス列が送信される。そして、ワイヤレス閃光装置１９Ａが発光し、カメラ１５は測光を行う。なお、上述した固有識別コードについての詳細は、特願２００１−０４００８９号に記載されている。
【００２８】
次いで、ステップＳ１５において、主閃光装置１７からワイヤレス閃光装置１９Ｂ固有の識別コードが発信され、この信号を受信したワイヤレス閃光装置１９Ｂは、固有識別コードが発信された後に主閃光装置１７から発信される発光パルス列を受信可能な状態になる。次いで、主閃光装置１７からワイヤレス閃光装置１９Ｂに発光パルス列が送信される。そして、ワイヤレス閃光装置１９Ｂが発光し、カメラ１５は測光を行う。
【００２９】
次いで、ステップＳ１６において、主閃光装置１７およびワイヤレス閃光装置１９Ａ，１９Ｂの発光時にカメラ１５で測光されたデータに基づき、カメラ１５にて本発光時の適正な主閃光装置１７およびワイヤレス閃光装置１９Ａ，１９Ｂの発光量が計算される。
次いで、ステップＳ１７において、主閃光装置１７およびワイヤレス閃光装置１９Ａ，１９Ｂは本発光時に適正に発光可能か否かがモニター２７に示される。このとき、図４の画面が表示される。
【００３０】
次いで、ステップＳ１８において、主閃光装置１７およびワイヤレス閃光装置１９Ａ，１９Ｂの適正本発光量がそれぞれ許容発光量以下であるか否かが判断される。主閃光装置１７およびワイヤレス閃光装置１９Ａ，１９Ｂの全てが許容発光量以下である場合には、画面下側の「終了」を釦３１により選択し実行させる。すると、モニター２７の画面が図３に示した標準画面に切り替わり、一連の処理が終了する。一方、主閃光装置１７およびワイヤレス閃光装置１９Ａ，１９Ｂのうち少なくとも１つが許容発光量以下でなければ、画面下側の「移動量表示」を選択し実行させる。すると、ステップＳ１９に進む。
【００３１】
ステップＳ１９では、図５に示したワイヤレス閃光装置１９Ｂの配置変更の移動量を示した画面が表示される。
次いで、ステップＳ２０において、ワイヤレス閃光装置１９Ｂの配置の変更を行う。配置の変更が済んだら、図５に示した画面右下に表示された「次へ」を釦３１により選択し実行する。すると、ステップＳ１２に戻り、図３に示したテスト発光モードの標準画面が表示される。
【００３２】
この実施形態の撮影システムでは、ワイヤレス閃光装置１９Ａ，１９Ｂと、ワイヤレス閃光装置１９Ａ，１９Ｂに対して無線通信により予備発光の起動および本発光の発光量指示データを送信する主閃光装置１７とを設けた上、予備発光後に本発光を行わずに予備発光により算出した主閃光装置１７およびワイヤレス閃光装置１９Ａ，１９Ｂの適正本発光量をモニター２７に表示するテスト発光モードを設けたので、本発光を行わなくても適正な本発光量を確認することができる。そのため、主閃光装置１７およびワイヤレス閃光装置１９Ａ，１９Ｂの発光能力が本発光時に十分であるか否かを予備発光後に予め確認することができる。また、このとき主閃光装置１７およびワイヤレス閃光装置１９Ａ，１９Ｂのうちで許容発光量を超えるものがあった場合でも、撮影条件や配置の変更を行うことで、許容発光量以下に抑えることができる。或いは、主閃光装置１７およびワイヤレス閃光装置１９Ａ，１９Ｂをより最大発光量の大きい閃光装置に変更することも可能である。
【００３３】
また、この実施形態の撮影システムでは、モニター２７は、主閃光装置１７およびワイヤレス閃光装置１９Ａ，１９Ｂの適正な本発光量が許容発光量を超える場合に、許容発光量と適正な本発光量との差分を表示するようにしたので、主閃光装置１７およびワイヤレス閃光装置１９Ａ，１９Ｂに要求される発光量が許容発光量を超える場合に、どの程度の発光量が不足しているかを容易に認識することができ、主閃光装置１７およびワイヤレス閃光装置１９Ａ，１９Ｂを他の閃光装置に取り替える場合に不必要に最大発光量の大きい大型の閃光装置を使用することになるのを防ぐことができる。
【００３４】
なお、上述した実施形態では、モニター２７を主閃光装置１７に設けた例について説明したが、カメラ１５またはワイヤレス閃光装置１９Ａ，１９Ｂに設けても良い。
また、上述した実施形態では、主閃光装置１７によりワイヤレス閃光装置１９Ａ，１９Ｂに発光パルス列を送信した例について説明したが、主閃光装置１７の替わりにコマンダーをカメラ１５に取り付けワイヤレス閃光装置１９Ａ，１９Ｂに発光パルス列を送信しても良い。なお、コマンダーとは、主閃光装置１７と同様にワイヤレス閃光装置１９Ａ，１９Ｂに発光パルス列を送信する装置ではあるが、被写体２１を照明する機能は有していない。
【００３５】
さらに、上述した実施形態では、主閃光装置１７からワイヤレス閃光装置１９Ａ，１９Ｂに発光パルス列を送信した例について説明したが、カメラ１５からワイヤレス閃光装置１９Ａ，１９Ｂに送信するようにしても良い。或いは、ワイヤレス閃光装置１９Ａとワイヤレス閃光装置１９Ｂとの間で発光パルス列を送信し合っても良い。要するに、主閃光装置１７およびワイヤレス閃光装置１９Ａ，１９Ｂを発光させることができるのならば如何なる通信経路を辿っても良い。
【００３６】
また、上述した実施形態では、入力手段である釦３１を主閃光装置１７に設けた例について説明したが、カメラ１５に設けても良い。また、釦３１により操作するのではなく、カメラ１５や主閃光装置１７にケーブルを接続しパーソナルコンピュータや携帯電話から操作するようにしても良い。
さらに、上述した実施形態では、主閃光装置１７およびワイヤレス閃光装置１９Ａ，１９Ｂの適正な本発光量を確認するための図４に示した表示が、「終了」または「移動量表示」を選択することで画面が切り替わる例について説明したが、所定時間経過すると消去され、図３に示した標準画面に切り替わるようにしても良い。
【００３７】
【発明の効果】
以上述べたように、本発明の撮影システムでは、ワイヤレス閃光装置と、このワイヤレス閃光装置に対して無線通信により予備発光の起動および本発光の発光量指示データの送信を行う指令手段とを設けた上、予備発光後に本発光を行わずに予備発光により算出したワイヤレス閃光装置の本発光時の適正発光量を表示手段に表示するモードを設けたので、本発光を行わなくても適正な本発光量を確認することができる。すなわち、ワイヤレス閃光装置の発光能力が本発光時に十分であるか否かおよび本発光時の適正発光量がどの程度であるかを、撮影者は予備発光後に表示手段により予め確認することができる。
【図面の簡単な説明】
【図１】本発明の撮影システムの一実施形態を示す説明図である。
【図２】図１の撮影システムのテスト発光モード時の発光タイミングを示す説明図である。
【図３】図１のモニターに表示されるテスト発光モード時の標準画面を示す説明図である。
【図４】図１のモニターに表示されるテスト発光モード時のテスト結果を示す説明図である。
【図５】図１のモニターに表示されるテスト発光モード時の主閃光装置およびワイヤレス閃光装置の配置変更の移動量を示す説明図である。
【図６】図１の撮影システムのテスト発光モード時の処理の流れを示す説明図である。
【図７】従来の撮影システムの一実施形態を示す説明図である。
【図８】図７の撮影システムの発光タイミングを示す説明図である。
【符号の説明】
１１　撮影システム
１５　カメラ
１７　主閃光装置
１９Ａ，１９Ｂ　ワイヤレス閃光装置
２５　撮影用機器
２７　モニター
３１　釦
【図１】
2004029184.tif 000003
【図２】
2004029184.tif 000004
【図３】
2004029184.tif 000005
【図４】
2004029184.tif 000006
【図５】
2004029184.tif 000007
【図６】
2004029184.tif 000008
【図７】
2004029184.tif 000009
【図８】
2004029184.tif 000010